(57)【要約】      （修正有）【課題】予め設定された所定の条件を有する画像データを保存する際に固有の秘密鍵を用いて暗号化し、その暗号化された画像データの復号化もその固有の秘密鍵を用いて復号化する撮像装置を提供する。【解決手段】撮像装置（デジタルカメラ）１０は、被写体の像を撮像して画像データとして出力する撮像部２１と、画像データ記憶部１９と、画像データが、予め設定された所定の条件に合致するか否かを判定する印象判定部１５と、秘密鍵を記憶する装置固有秘密鍵記憶部１３と、印象判定部１５により画像データが所定の条件に合致すると判定されたときに、この画像データを、秘密鍵を用いて暗号化した暗号化画像データを生成する画像暗号化部１６と、暗号化画像データを、秘密鍵を用いて復号して原画像データに戻す画像復号化部１７と、を有する。【選択図】図１
2010135991.tif 000002
【特許請求の範囲】
【請求項１】
被写体の像を撮像して画像データとして出力する撮像部と、
画像データ記憶部と、
前記撮像部から出力された前記画像データが、予め設定された所定の条件に合致するか否かを判定し、前記所定の条件に合致しないと判定したときは、前記画像データを、前記画像データ記憶部に非暗号化画像データとして記憶させる判定部と、
秘密鍵を記憶する装置固有秘密鍵記憶部と、
前記判定部により前記画像データが前記所定の条件に合致すると判定されたときに、前記画像データを、前記秘密鍵を用いて暗号化した暗号化画像データを生成し、当該暗号化画像データを前記画像データ記憶部に記憶させる画像暗号化部と、
前記暗号化画像データを、前記秘密鍵を用いて復号して原画像データに戻す画像復号化部と、を有する撮像装置。
【請求項２】
前記非暗号化画像データ又は、前記画像復号化部により復号された前記原画像データを表示する表示部を有する請求項１に記載の撮像装置。
【請求項３】
前記画像データの特徴量を算出する特徴量演算部を有し、
前記判定部は、前記特徴量演算部で算出された前記特徴量に基づいて、前記画像データが前記所定の条件に合致するか否かを判定するように構成された請求項１または２に記載の撮像装置。
【請求項４】
学習結果を記憶する学習結果記憶部を有し、
前記判定部は、前記学習結果を用いて前記画像データが前記所定の条件に合致するか否かを判定するように構成された請求項１〜３いずれか一項に記載の撮像装置。
【請求項５】
前記判定部は、
前記撮像部から前記画像データが出力されたときに実行され、前記画像データが前記所定の条件に合致するか否かを簡易な方法により判定する簡易判定と、
前記簡易判定により前記所定の条件に合致すると判定された前記画像データに対してのみ実行され、前記画像データが前記所定の条件に合致するか否かを高精度な方法により判定する高精度判定と、を実行するように構成された請求項１〜４いずれか一項に記載の撮像装置。
【請求項６】
前記高精度判定は、前記画像データのコントラスト情報及び色情報に基づいて当該画像データから注目度画像を算出し、算出された前記注目度画像から、更に注目度領域を決定して、前記注目度領域に基づいて、当該画像データが前記所定の条件に合致するか否かを判断するように構成された請求項５に記載の撮像装置。
【請求項７】
前記判定部は、前記画像データ記憶部に記憶された前記暗号化画像データに対して前記高精度判定を実行し、前記所定の条件に合致しないと判断された前記暗号化画像データがある場合には、当該暗号化画像データを前記画像復号化部により前記秘密鍵を用いて復号して前記原画像データに戻し、前記画像データ記憶部に記憶するように構成された請求項５または６に記載の撮像装置。
【発明の詳細な説明】
【技術分野】
【０００１】
本発明は、撮像装置に関する。
【背景技術】
【０００２】
近年、デジタルカメラの小型化や高性能化等の性能面の向上にともない、急速に普及が進み、また、このデジタルカメラで撮像された画像はデジタルデータであるために、気軽に画像データの交換等を行うことができるようになってきている。このため、撮影を行おうとしている場所や被写体が、撮影が禁止されているような場合に、この撮影を規制する技術が知られている。このような、従来の技術は、撮影が禁じられている場合に、撮影した画像データに規制をかけ、そのような画像データの保存を阻止することを目的としている。そのため、撮影自体が禁じられていない場合においては、被写体がどのようなものであろうとも、従来の技術では、画像データの保存を行うことができ、また、画像データ等の公開も自由に行うことができる（例えば、特許文献１及び特許文献２参照）。
【特許文献１】特開２００６−１８６６８５号公報
【特許文献２】特開２００３−１９８９１８号公報
【発明の開示】
【発明が解決しようとする課題】
【０００３】
しかしながら、撮影自体が禁じられていないような場所における画像データであっても、中には、世間一般に公開することが問題となるような画像データも含まれている場合があり、そのような画像データは、保存及び閲覧は自由に行うことができても、公開を規制・抑制することが必要であるが、従来の技術においては、このような画像データの公開を規制・抑制することができないという課題があった。
【０００４】
本発明は、このような課題に鑑みてなされたものであり、画像データが予め設定された所定の条件を有する場合には、その画像データを保存する際に固有の秘密鍵を用いて暗号化し、その暗号化された画像データを復号化する際は、その固有の秘密鍵を用いて復号化するように構成された撮像装置を提供することを目的とする。
【課題を解決するための手段】
【０００５】
前記課題を解決するために、本発明に係る撮像装置は、被写体の像を撮像して画像データとして出力する撮像部と、画像データ記憶部と、撮像部から出力された画像データが、予め設定された所定の条件に合致するか否かを判定し、所定の条件に合致しないと判定したときは、画像データを、画像データ記憶部に非暗号化画像データとして記憶させる判定部と、秘密鍵を記憶する装置固有秘密鍵記憶部と、判定部により画像データが所定の条件に合致すると判定されたときに、この画像データを、秘密鍵を用いて暗号化した暗号化画像データを生成し、当該暗号化画像データを画像データ記憶部に記憶させる画像暗号化部と、暗号化画像データを、秘密鍵を用いて復号して原画像データに戻す画像復号化部と、を有する。
【０００６】
このような撮像装置は、非暗号化画像データ又は、画像復号化部により復号された原画像データを表示する表示部を有することが好ましい。
【０００７】
また、このような撮像装置は、画像データの特徴量を算出する特徴量演算部を有し、判定部は、特徴量演算部で算出された特徴量に基づいて、画像データが所定の条件に合致するか否かを判定するように構成されることが好ましい。
【０００８】
また、このような撮像装置は、学習結果を記憶する学習結果記憶部を有し、判定部は、学習結果を用いて画像データが所定の条件に合致するか否かを判定するように構成されることが好ましい。
【０００９】
また、このような撮像装置において、判定部は、撮像部から画像データが出力されたときに実行され、この画像データが所定の条件に合致するか否かを簡易な方法により判定する簡易判定と、簡易判定により所定の条件に合致すると判定された画像データに対してのみ実行され、この画像データが所定の条件に合致するか否かを高精度な方法により判定する高精度判定と、を実行するように構成されることが好ましい。
【００１０】
このとき、高精度判定は、画像データのコントラスト情報及び色情報に基づいて当該画像データから注目度画像を算出し、算出された注目度画像から、更に注目度領域を決定して、注目度領域に基づいて、当該画像データが所定の条件に合致するか否かを判断するように構成されることが好ましい。
【００１１】
また、このような撮像装置において、判定部は、画像データ記憶部に記憶された前記暗号化画像データに対して高精度判定を実行し、所定の条件に合致しないと判断された暗号化画像データがある場合には、当該暗号化画像データを画像復号化部により秘密鍵を用いて復号して原画像データに戻し、画像データ記憶部に記憶するように構成されることが好ましい。
【発明の効果】
【００１２】
本発明に係る、撮影装置を以上のように構成すると、この撮像装置で暗号化された暗号化画像データは、その画像データを撮像した撮影装置以外、つまり、当該撮像装置に格納された秘密鍵を有していない装置においては復号化を行うことができず、そのような画像データの公開を規制または抑制することが可能となる。
【発明を実施するための最良の形態】
【００１３】
以下、本発明の好ましい実施形態について図面を参照して説明する。まず、図１を用いて、撮影装置であるデジタルカメラ１０について説明する。デジタルカメラ１０は、操作ボタンやタッチパネルを備えた液晶画面等からなりユーザーからの指示を受け付ける操作部２０と、図示しない光学レンズや撮像素子を有し、操作部２０からの指示により、光学レンズで結像させた像を撮像素子により撮像して画像データとして出力する撮像部２１と、画像データを記憶する画像データ記憶部１９と、撮像部２１から出力された画像データの特徴量を算出する特徴量演算部１４と、特徴量演算部１４で算出された特徴量に基づいて、画像データの印象を判定し、この判定結果が所定の条件に合致する画像データは画像暗号化部１６に渡し、合致しない場合はそのまま画像データ記憶部１９に記憶させる判定部１５（以下「印象判定部１５」と呼ぶ）と、この印象判定部１５において印象判定を行う際の所定の条件が記憶された学習結果記憶部１２と、このデジタルカメラ１０に固有の情報であって、画像データの暗号化・復号化のために使用する秘密鍵を記憶する装置固有秘密鍵記憶部１３と、印象判定部１５から渡された画像データに対し、暗号化を行い、暗号化された画像データ（以下、「暗号化画像データ」と呼ぶ）を画像データ記憶部１９に記憶する画像暗号化部１６と、画像データ記憶部１９に記憶されている画像データを読み出して、当該画像データが暗号化されているか否かの判断を行う判断部１１と、暗号化された画像データを復号し、原画像データに変換する画像復号化部１７と、画像データを表示する表示部１８とから構成されている。ここで、装置固有秘密鍵記憶部１３に記憶されている秘密鍵は、デジタルカメラ１０の製造時等に、例えば、ランダムな値として設定されるデータであり、この装置固有秘密鍵記憶部１３は、外部等から容易にアクセスできないような構成となっている。
【００１４】
学習結果記憶部１２に記憶されている所定の条件は、予めデジタルカメラ１０に設定されている。これは、外部の印象判定学習部２２を使用して、ある条件の学習画像を用いて学習された結果に基づく条件であり、ここでは、例えば、画像データが公序良俗に反するかの判断を行うことができる条件となっている。具体的には、印象判定学習部２２は、ＡｄａＢｏｏｓｔの手法により、公序良俗に反するような画像データの印象語として、例えば、”エロティック”若しくは”グロテスク”などを設定し、複数の学習画像を用いて、その印象語に対する学習を行い、その学習結果から、その印象語に対しての重みを決定し、印象判定部１２による判定結果が所定の値以上となると、その印象語に属する画像であるとの判断を行うことができる条件が設定される。この印象判定学習部２２の学習結果は、上述のように所定の条件として学習結果記憶部１２に記憶されており、本実施形態の印象判定部１５は、この学習結果記憶部１２の学習結果を利用して、画像データの印象判定を行うように構成されている。あるいは、特徴量演算部１４は、画像データから得られる色情報（色のヒストグラムなど）やエッジ情報を算出し、それらの情報を画像データの特徴量とする。そして、印象判定部１５の印象判定については、ＳＶＭ（Ｓｕｐｐｏｒｔ  ｖｅｃｔｏｒ  ｍａｃｈｉｎｅ；サポートベクターマシン）などの特徴量から公序良俗に反するか否かの是非を判定する学習・識別システム等を利用する方法も挙げられる。なお、本発明における印象判定部１５は、画像データが、例えば、公序良俗に反する画像データであるとの印象判定を行うことができる方法であれば良く、特にこれらの方法に限られない。
【００１５】
以上のような構成の本実施の形態のデジタルカメラ１０における画像データの表示、画像データの暗号化工程、画像データの高精度判定等の工程について、図面を参照して説明する。
【００１６】
（画像データの表示）
図２のフローに基づいて、このデジタルカメラ１０の画像データ記憶部１９に記憶されている画像データを表示して閲覧する工程について説明する。ここで、画像データは、図３に示す画像データファイル１９１を用いて、ファイル名により識別できるように画像データ記憶部１９に記憶されており、画像データ記憶部１９は、この画像データファイル１９１を管理している。この画像データファイル１９１は、画像データのファイル名が設定される画像ファイルカラム１９１ａをキーとして各識別情報が識別情報カラム１９１ｂに設定されておりこの識別情報カラム１９１ｂは、さらに、画像データの暗号化の有無が設定される暗号化設定カラム１９１ｃ、後述する高精度判定が行われたか否かが設定される高精度判定カラム１９１ｄ、及び、暗号化に用いられた暗号鍵を識別するための鍵識別情報カラム１９１ｅを有して構成される。また、この画像データファイル１９１には、その他の情報を記憶するためのその他画像情報カラム１９１ｆも設けられている。
【００１７】
まず、ユーザーは、閲覧したい画像データを操作部２２を介して指定する。判定部１１は、ユーザーの指定に基づいて、画像データ記憶部１９の画像データファイル１９１を参照して指定された画像データを読み出す（ステップＳＴ１）。次に、判断部１１は、この画像ファイルに対応する識別情報カラム１９１ｂの情報を参照する。そして、識別情報カラム１９１ｂの暗号化設定カラム１９１ｃの内容を参照し、この画像データが暗号化されたデータであるか否かを判定する（ステップＳＴ２）。例えば、ファイル名「０００３．ｊｐｇ」では、暗号化設定カラム１９１ｃに”無し”とのデータが設定されているので、この場合、このファイル名「０００３．ｊｐｇ」の画像データは、特に暗号化されたデータでは無いと判定し、その画像データを表示部１８に表示する（ステップＳＴ５）。一方、ステップＳＴ２において、指定された画像ファイル名の画像データが暗号化されている場合は（例えば、図３のファイル名「０００１．ｊｐｇ」又は「０００２．ｊｐｇ」では、暗号化設定カラム１９１ｃには、”有り”とのデータが設定されている）、判断部１１は、その画像データを暗号化した秘密鍵の鍵識別情報（画像データファイル１９１の鍵識別情報カラム１９１ｅの情報を参照）と、装置固有秘密鍵記憶部１３に記憶されている秘密鍵の鍵識別情報とが一致するか否かを判断する（ステップＳＴ３）。判断部１１は、一致すると判断した場合には、そのファイル名の画像データ（暗号化されている暗号化画像データ）の情報を画像復号化部１７に送り、画像復号化部１７は、その画像データを装置固有秘密鍵記憶部１３に記憶されている秘密鍵を用いて復号して、原画像データに変換し（ステップＳＴ４）、この原画像データを表示部１８に表示する。一方、判断部１１が、画像データを暗号化した秘密鍵の鍵識別情報と、装置固有秘密鍵記憶部１３に記憶されている秘密鍵の鍵識別情報とが一致しないと判断すると、表示部１８に「閲覧不可」との表示を行い、ユーザーに表示できない旨を通知して終了する（ステップＳＴ６）。この場合は、暗号化に用いた秘密鍵とこのデジタルカメラ１０が固有に持っている秘密鍵とが異なる場合であり、このデジタルカメラ１０においては、このような暗号化画像データは復号することができないように構成されている。
【００１８】
このように、判断部１１は、暗号化された画像データの暗号化処理がどのような秘密鍵により行われたものであるかの識別を行うことができるようになっており、画像復号化部１７は、この暗号化された画像データの表示が指定された場合に、その固有の秘密鍵によってのみ、復号化を行うことができるように構成されている。そして、このデジタルカメラ１０の固有の秘密鍵は、装置固有秘密鍵記憶部１３に記憶されているが、この装置固有秘密鍵記憶部１３の情報へのアクセスは極めて困難となっており、容易に取り出すことはできないようになっている。また、暗号化された画像データのファイルと関連して鍵識別情報カラム１９１ｅには、秘密鍵を識別する情報が付されている。この鍵識別情報カラム１９１ｅの情報は、秘密鍵自体のデータではない。このような暗号化された画像データファイルを撮像したデジタルカメラ１０以外の表示装置で閲覧する場合にも、復号化が必要であるが、復号化には、暗号化と同一の秘密鍵が必要であり、鍵識別情報カラム１９１ｅの情報のみからは、秘密鍵自体の情報は取り出すことができないので、復号化することができない。これにより、このような暗号化された画像データの閲覧が禁止できるようになっている。ここで、画像データ記憶部１５のデータ構造は、図３で示すように画像データファイル１９１として記憶され、画像ファイル名カラム１９１ａに画像データのファイル名が記憶され、暗号化済みか否かの識別情報等は、識別情報カラム１９１ｂに記憶され、また、その他画像情報カラム１９１ｆには、画像データのその他の情報、例えば、撮影日時、顔情報などが記憶されている。そして、判断部１１は、この画像データ記憶部１９の画像データファイル１９１を参照して、閲覧しようとしている画像データがどのような属性の画像データであるか（暗号化画像データであるか、または非暗号化画像データであるか）の判断を行うことができるようになっている。
【００１９】
本実施の形態のデジタルカメラ１０は、以上のように構成されているため、暗号化された画像データを、撮像したデジタルカメラ１０以外の装置に移動することは可能であっても、復号するための秘密鍵は移動せず、また、秘密鍵が装置固有のデータであるので、他の装置においては、閲覧時に暗号化された画像データを復号することができない。そのため、閲覧することができるのは、このような暗号化された画像データを撮像したデジタルカメラ１０のみである。つまり、暗号化の際に用いた秘密鍵の情報を有する装置のみが、暗号化された画像データを、その装置の固有の秘密鍵により、復号することができるようになっている。また、この時、デジタルカメラ１０は、復号された原画像データを、表示部１８へ表示することはできるが、この原画像データを画像データ記憶部１９に記憶することはできないように構成されている。また、別の装置に復号した原画像データを記憶させることもできないように構成されている。したがって、ある所定の条件に合致して、暗号化された画像データの公開を規制または抑止することができる。
【００２０】
（画像データの暗号化）
次に、図４及び図５を用いて、画像データの暗号化の工程について説明する。ここで、後述するように、このデジタルカメラ１０の印象判定部１５は、画像データの撮影時に実行される簡易な判定と、画像撮影後に実行される更に高精度な判定を行う構成を有している。これは、デジタルカメラ１０においては、まず、画像データが取得される毎に、印象判定部１５が、公序良俗違反の判定を実施しているので、処理時間を考慮すると、できるだけ簡易な処理を行うように構成されていることが好ましいからである。しかしながら、簡易な判定をした場合には、公序良俗に反する画像データであると判定された中に、誤判定をされた画像データも含まれている可能性がある。そこで、簡易な判定を行った後に、公序良俗に反すると判断された画像データに対し、更に、高精度な判定を行うことで、判定精度を高めるように構成されている。この高精度判定は、図４に示すように撮影時に実行される簡易な判定に続いて行うようにしてもよいし、あるいは図５に示すように、撮影時以外の任意のタイミングで行うように構成してもよい。撮影時以外の任意のタイミングで行う場合には、対象となる画像データは、暗号化された暗号化画像データが対象となり、撮影時のタイミングで行う場合は、簡易な判定において、公序良俗に反すると判断された画像データのみが対象となる。
【００２１】
図４に示すように、まず、ユーザーが所望の被写体を撮像部２１により撮影すると（ステップＳＴ１０）、特徴量演算部１４は、撮像部２１から出力される画像データから特徴量を算出し（ステップＳＴ１１）、次に、印象判定部１５が、特徴量演算部１４が算出した画像データの特徴量と、学習結果記憶部１２に記憶されている所定の条件と、に基づいて、その画像データが所定の閾値条件に合致するか否かを判断する。具体的には、所定の条件、すなわち、公序良俗に反するか否かを、学習結果記憶部１２の学習結果を参照して判断する（ステップＳＴ１２）。このステップＳＴ１１、ＳＴ１２で行われる印象判定は、撮影時に全件を対象に行うものである。そのため、上述したように、処理時間を考慮して、処理ができるだけ簡易になるようにしている。この印象判定部１５が行う印象判定は、上述した方法により行うものであり、ここでは、例えば、印象語を用いた印象判定により、公序良俗に反する画像データであるか否かの判断がされるように構成されている。
【００２２】
そして、印象判定部１５が、その画像データが、公序良俗に反していないと判断すると、画像データ記憶部１９にその画像データを記憶し、画像データファイル１９１にファイル名と共に、暗号化設定カラム１９１ｃに、”無し”というデータを設定する（ステップＳＴ１８）。これにより、この画像データは、デジタルカメラ１０以外の表示装置等により自由に閲覧することが可能となる。一方、印象判定部１５が、その画像データが、公序良俗に反していると判断すると、次に、ステップＳＴ１３に進み、印象判定部１５が、撮影時に高精度判定を行うように設定されているか否かを判断する。撮影時に高度判定を行わないように設定されている場合には、ステップＳＴ１６に進み、印象判定部１５は、その画像データを画像暗号化部１６に送り、画像暗号化部１６は、公序良俗に違反するとされた画像データに対し、装置固有秘密鍵記憶部１３に記憶されているデジタルカメラ１０に固有の秘密鍵を用いて暗号化を行い、暗号化画像データとする。そして、画像暗号化部１６は、この暗号化画像データを画像データ記憶部１９の画像データファイル１９１に記憶する。具体的には、画像暗号化部１６は、暗号化画像ファイルを画像データ記憶部１９に記憶し、画像データファイル１９１に、ファイル名と共に、暗号化設定カラム１９１ｃに”有り”というデータを設定し、さらに、高精度判定カラム１９１ｄに、データを設定せずに空のままとする（ステップＳＴ１７）。
【００２３】
一方、ステップＳＴ１３で、印象判定部１５が、撮影時に高精度判定を行うように設定されていると判断すると、次にステップＳＴ１４に進み、後述する高精度判定を行う工程に入り、その後、ステップＳＴ１５に進み、印象判定部１５は、その高精度判定の結果に基づき、所定の条件、すなわち、公序良俗に反するか否かを、学習結果記憶部１２の学習結果を参照して判断する。そして、反していないと判断された場合には、暗号化せずに、その画像データを画像データ記憶部１９に記憶し、画像データファイル１９１には、ファイル名及び、暗号化設定カラム１９１ｃに、”無し”というデータを設定する（ステップＳＴ１７）。一方、公序良俗に反していると判断されると、ステップＳＴ１６に進み、上述したように、画像暗号化部１６は、その画像データに対し、デジタルカメラ固有の秘密鍵を用いて、暗号化処理を行った後、画像データ記憶部１９に記憶する。以上が、撮影時に画像データが所定の条件、すなわち、公序良俗に反するか否かの簡易判定を行い、その結果に基づいて高精度判定を行う場合である。このように、撮影時の際の簡易な判定により、所定の条件、つまり、公序良俗に反すると判断された画像データに対してのみ、高精度判定を行うので、撮影された画像データが公序良俗に反する可能性が高いときだけ高精度の判定が行われる。そのため、高精度判定を行いつつも、通常の被写体に対しては判定に時間を要さない。また、簡易判定の結果、公序良俗に反する可能性が高い画像データに対しては高精度な判定を行うので、簡易な判定において誤判定してしまった画像データに対して、暗号化処理を行うことがない。
【００２４】
また、撮影時に高精度の判定を行わないように設定されている場合には、このデジタルカメラ１０においては、とりあえず、最初（撮影時）の判定において、誤判定してしまった画像データも含めて、暗号化が行われるように構成されている（図４のステップＳＴ１３、ステップＳＴ１６の工程参照）。そこで、撮影時以外の任意のタイミングで、ユーザーが選択して、高精度判定を行うことができるように設定することも可能となっている。このように任意に高精度判定が行われる場合の処理は、図５で示す工程で行うことができる。任意のタイミングで高精度判定を行うことができるので、例えば、デジタルカメラ１０の充電を行ったばかりであったり、デジタルカメラ１０で撮影を行っていない場合や、画像データを閲覧する際に、高精度判定を実施することができるように設定することができる。
【００２５】
図５で示すように、ユーザーが設定した任意のタイミングで行う場合には、判断部１１は、画像データ記憶部１９に記憶されている画像データファイル１９１を参照し、画像データに暗号化済みデータがあるか否か判断する（ステップＳＴ２０）。判断部１１は、暗号化済みデータが無いと判断した場合、つまり、印象判定部１５が、初期の簡易な判定の際にそのような所定の条件に合致する画像データ（公序良俗に反する画像データ）が無いと判断している場合であり、このような場合には、この処理は終了する。一方、判断部１１が、画像データファイル１９１を参照し、暗号化済みデータがあると判断した場合は、次に、画像データファイル１９１の高精度判定カラム１９１ｄを参照して、撮影時に高精度判定が実施済みか否かを判断する（ステップＳＴ２１）。そして、暗号化設定カラム１９１ｂに”有り”のデータが設定されている全ての画像データファイルの高精度判定カラム１９１に、”済み”のデータが設定されている場合には、高精度判定が既に実施された場合であるので、処理を終了する。しかし、暗号化設定カラム１９１ｂに”有り”のデータが設定されている画像データファイルのいずれかにおいて、その高精度判定カラム１９１に、”済み”のデータが設定されていない場合には、高精度判定が実施されてないデータがあるということである。したがって、この場合は、ステップＳＴ２２に進み、高精度判定を行う工程に入る。
【００２６】
次に、印象判定部１５が、高精度判定が実施されていない画像データに対し、一旦復号し、所定の条件に合致するか否か、つまり、公序良俗に反するか否かの判断を上述の方法で行い（ステップＳＴ２３）、公序良俗に反すると判断すると、画像データ記憶部１９の画像データファイル１９１に記憶されているその画像データに対する暗号化の情報等はそのままにして、終了する。一方、印象判定部１５が、その画像データは公序良俗に反していないと判断した場合は、撮影時（最初）の簡易な判断が誤判断であった場合である。したがって、この場合には、印象判定部１５は、その画像データの情報を画像復号化部１６に送り、画像復号化部１６は、その画像データに対して、装置固有秘密鍵記憶部１３に秘密鍵を適用して、復号を行う（ステップＳＴ２４）。さらに、画像復号化部１６は、画像データファイル１９１を参照し、この復号された画像データファイルに対応するファイル名の暗号化設定カラム１９１ｂのデータを更新して、”無し”のデータを設定すると共に、高精度判定カラム１９１ｄに”済み”のデータを設定する（ステップＳＴ２５）。
【００２７】
ここで、この画像データは、画像復号化部１６により、復号された原画像データではあるが、印象判定部１５により高精度判定が行われ、なおかつ、公序良俗に違反しないとされた画像データである。このため、この場合の原画像データは、特に、問題となるデータではないから、画像データ記憶部１９の画像データファイル１９１に、上記のように区別して（暗号化設定カラム１９１ｂのデータ”無し”、高精度判定カラム１９１ｄに”済み”を設定して）記憶できるように構成されている。一方、公序良俗に反するとして暗号化されている画像データであっても閲覧時には、復号化部１６が復号化し、閲覧はできるが、この復号化画像データは、画像データ記憶部１９には、記憶されない。このように、上述の工程において、高精度判定が行われ、なおかつ、公序良俗に違反しないとされて復号された画像データとは、区別することができる。
【００２８】
（高精度判定工程）
次に、高精度判定の工程について、図６を使用して説明する。まず、高精度判定の工程に入ると、印象判定部１５は、その対象である画像データから注目度画像を生成する（ステップＳＴ２００）。この高精度判定は、対象である基の画像データ（原画像データ）を用いて、画素を注目度（２５６階調）に置き換えた注目度画像を利用して行うものである。そして、注目度画像は、原画像データのコントラスト情報と、色情報を用いて生成される。コントラスト情報（Ｃｏｎｔｒａｓｔ（ｘ，ｙ））は、以下の式（１）の４近傍もしくは８近傍のラプラシアンフィルタ（Ｌ（ｍ，ｎ））などを用いて、式（２）により算出できる。ここで、ｍ，ｎは、小領域における画素のｘ，ｙ座標値である。また、Ｆ（ｘ，ｙ）は、原画像データであり、原画像データの周縁部（周辺）には有用な情報の存在確率が低いので、コントラスト値は０とする。また、（ｘ，ｙ）は、任意の画素を表す。ｉ，ｊは、小領域における画素のｘ，ｙ座標の範囲であり、−１〜１までである。
【００２９】
【数１】
2010135991.tif 000003
【００３０】
また、色情報の注目度は、色相、彩度、明度が関連するものである。色の誘目性の定義では、高明度、および高彩度ほど色の誘目性が強いとされ、また、赤や橙などの暖色系のほうが、青や紫などの寒色系よりも誘目性が強いとされている。ここで、任意の画素（ｘ，ｙ）での色相をＨ（ｘ，ｙ）（０〜３５９°）、彩度をＳ（ｘ，ｙ）、明度をＶ（ｘ，ｙ）とすると、任意の画素における色の誘目度合い（Ｃｏｌｏｒ  Ａｔｔｅｎｔｉｏｎ（ｘ，ｙ））は、以下の式（３）により決定される。
【００３１】
【数２】
2010135991.tif 000004
【００３２】
ここで、α，Ｃｖ，Ｃｓは、定数であり、ｈ（ｘ）は、０でない場合の色相誘目曲線である。
【００３３】
以上より、注目度画像（Ａｔｔｅｎｔｉｏｎ（ｘ，ｙ））は、以下の式（４）により算出される。
【００３４】
【数３】
2010135991.tif 000005
【００３５】
ここで、ｗ（ｘ，ｙ）は、画像データの位置によって決まる重みであり、μは、定数である。
【００３６】
次に、印象判定部１５は、上述の式（４）により算出した注目度画像（Ａｔｔｅｎｔｉｏｎ（ｘ，ｙ））から注目度領域（ＲＯＩ：Ｒｅｇｉｏｎ  Ｏｆ  Ｉｎｔｅｒｅｓｔ）を抽出する（ステップＳＴ２０１）。この原画像データの注目度領域は、注目度画像の注目度分布から構図的な要素（注目度の重心を利用するなど）を利用して決定される。このとき、注目度領域（ＲＯＩ）のアスペクト比は、Ａｄａｂｏｏｓｔの手法による学習の際の複数の学習画像のアスペクト比と同一に設定される。ここで、決定された注目度領域（ＲＯＩ）は、その画素数が固定ではなく原画像データにより異なるため、印象判定部１５が、学習結果記憶部１２の学習結果を参照して印象判定を行う際に、Ａｄａｂｏｏｓｔの学習に適用することができるようにするために、印象判定部１５は、決定された注目度領域（ＲＯＩ）に対して、Ａｄａｂｏｏｓｔの手法による学習画像のアスペクト比と同一なサイズにリサイズを行う。次に、ステップＳＴ２０２に進み、特徴量演算部１４は、注目度領域（ＲＯＩ）に対し、特徴量を算出する。この時、画像サイズに依存する特徴量を算出する場合には、算出過程で、正規化が行われるようになっている。最後に、ステップＳＴ２０３に進み、印象判定部１５は、Ａｄａｂｏｏｓｔの手法を用いた公序良俗判定を行い、この高精度判定を終了する。この高精度判定において、使用される注目度領域は、背景などの余分な情報を排除しており、公序良俗に反する画像の要素を含んでいる可能性が非常に高いため、印象判定部１５が、この注目度領域（ＲＯＩ）を使用して、判定を行えば高精度の判定を行うことができる。これにより、簡易な判定により、誤って公序良俗に違反する画像データであると判断された画像データを取り除くことができ、高精度な判定を行うことができる
【図面の簡単な説明】
【００３７】
【図１】デジタルカメラの構成を示すブロック図である。
【図２】画像データの表示の処理を示すフローチャートである。
【図３】画像データ記憶部のデータ構造を示すデータ構造図である。
【図４】画像データの暗号化の処理を示すフローチャートである。
【図５】任意のタイミング高精度判定を行う場合の処理を示すフローチャートである。
【図６】高精度判定の処理を示すフローチャートである。
【符号の説明】
【００３８】
１０  デジタルカメラ（撮像装置）    １２  学習結果記憶部
１３  装置固有秘密鍵記憶部    １４  特徴量演算部
１５  判定部（印象判定部）    １６  画像暗号化部    １７  画像復号化部    １８  表示部
１９  画像データ記憶部    ２１  撮像部
【図１】
2010135991.tif 000006
【図２】
2010135991.tif 000007
【図３】
2010135991.tif 000008
【図４】
2010135991.tif 000009
【図５】
2010135991.tif 000010
【図６】
2010135991.tif 000011